Podtech/llm-jp-corpus-v4-ja_patent huggingface dataset:
(57)【要約】      （修正有）【課題】食器洗い等、家事及び水を扱う作業に対し長い時間使用しても手袋上部が下がることなく快適に作業することができ、収納時もひっかけ部を掛けて収納することができるゴム手袋を提供する。【解決手段】本案水作業用手袋は、ゴム手袋１の開口部に弾辱体で止着部３付の布部２を接合し、その布上部にひっかけ部４を設けて構成される。【選択図】図１
0003115972.tif 000002
【実用新案登録請求の範囲】
【請求項１】
袋部の開口部に筒状に腕を覆う布製の布部を袋部内側に接合し、袋部のすぐ上に弾辱体で止着部を設けたことを特徴とする水作業用手袋。
【請求項２】
前見布部は長さ約１０ｃｍ程で、その４ｃｍ程を内側に接着し、前記弾辱体は約１．５ｃｍ程であることを特徴とする請求項１記載の水作業用手袋。
【請求項３】
前記布部の上部に紐で輪を作り、ひっかけ部を設けたことを特徴とする請求項１又は２記載の水作業用手袋。
【請求項４】
布部の上部に約１０ｃｍ程の紐で輪を作ったことを特徴とする請求項１〜３のいずれかに記載の水作業用手袋。
【考案の詳細な説明】
【技術分野】
【０００１】本案は主婦の洗い物、炊事等の水を扱う作業に適した手袋の技術に関する。
【背景技術】
【０００２】水を扱う作業には、ゴム手袋を用いるが、その手袋をそのまま水洗いに用いると装着したときに腕の部分に冷たさを感じ、長く使用しているとゴム手袋開口部の部分が下がってきて作業しにくい。又、収納する場所も困る。
ゴム手袋開口部に紐を通したものがあるが、下がることは解決したとしても、装着したときの腕に当たる不快感は解決しない。又、実用新案登録第３０６１３９５号で、ゴム手袋の開口部を布製にして、布部の上部に弾辱体で止着部を設けたものもあるけれど、これも装着したときの不快感は解決したとしても、止着部が上部にある為、長く使用しているとゴム手袋の上部の所がゆるめになって、やはり不快が残ってしまう。
したがって、２点とも収納時の問題は解決しない。
【考案の開示】
【考案が解決しようとする課題】
【０００３】本考案はかかる問題を解決しようとしてなされるもので、装着した時の不快感と長時間使用時にゴム手袋開口部の下がりと収納時の不便な点を解決しようとするものである。
【課題を解決するための手段】
【０００４】本案水作業用手袋は、ゴム製手袋の開口部内側に４ｃｍ程を筒状に腕を覆う布製の布部を接合し、その上１ｃｍ程の所に弾辱体を作り、止着部を設けて又、布部上部に輪になった紐を設けて構成される。
【考案の効果】
【０００５】以上の構成に関わる本案ゴム手袋は、構造は簡潔でありながら、開口部の下がりを防止し布部は作業を邪魔せず、収納時はひっかけることで簡単に収納することができる等の利便性に富んだ考案である。
【考案を実施するための最良の形態】
【０００６】本案で使用するゴム手袋はポリ手袋やビニル手袋の一般に使用されている合成樹脂等を素材としたゴム手袋１でその上部の内側に筒状に縫い合わせた布部４を当て、長さ４ｃｍ程を全周に渡って接合する。該接合は、接着剤等で接合する。【０００７】次に接合した布部４の上部約１ｃｍ程の所にゴムを通す部分を作り、ゴム紐を通し止着部５を作り、布部４を形成する。【０００８】次に止着部５を作ることにより、開口部３が下がらず止着部５が縮まる為布部４の上部がラッパ状に広がることで、袖部の下がりも止めることができる。
さらに、布製の為、布部４上部に１０ｃｍ程の紐で輪を作り、ミシンで縫い合わせて、ひっかけ部６を設けることができる。
【実施例】
【０００９】本案手袋の作用を説明すると、先ず本案手袋を使用するにはゴム手袋１を指にはめて、布部４で腕を覆い、止着部５で止めて手及び腕を覆う。
次に食器洗い等水を扱う家事をする場合、ゴム手袋をはめた時にヒヤッとした冷たさを感じ、作業中にゴム手袋１の開口部３が下がってきて、袖部が邪魔になるのが従来では避けられない。【００１０】しかし本案では、ゴム手袋１をはめた時に、開口部３内側４ｃｍ程の布部４で覆われているため、ヒヤッとした不快感はない。さらに止着部５により腕にフィットし、開口部３の下がりを防ぐことが出来る。したがって水作業を継続させても開口部３が下がることはなく快適に作業を続けることが出来る。
又使用後の収納もひっかけ部６によりつるして収納することが出来、水の切れが良くなる。
【図面の簡単な説明】
【００１２】
【図１】ゴム手袋の正面図
【図２】ゴム手袋の使用状態を示す説明図
【符号の説明】
【００１３】    １  ゴム手袋
２  袋部
３  開口部
４  布部
５  止着部
６  ひっかけ部
【図１】
0003115972.tif 000003
【図２】
0003115972.tif 000004
(57)【要約】【課題】弁当を蓋をしたまま電子レンジで温めた時に出る湯気や、温かい食品を入れてすぐ蓋をした時に出る湯気により、蓋の内面に付着する結露の水の、食品への侵入を防ぐ構造を持つ弁当容器及び蓋を提供する。【解決手段】温かい食品から出た湯気が斜面３で構成した蓋１の内面に付着し、冷めた時に大粒の水滴となり、斜面をつたって流れる。流れた水は食品の入るポケット５内ではなく、斜面３の最下部の位置に設けた弁当容器２の結露専用ポケット４に入る。蓋１をあける際も、その結露専用ポケット４を軸としてはね上げると、蓋１についた残りの水も結露専用ポケット４内へ入り、食品の入るポケット５内又はテーブルに水が落ちる事を防ぐことができる。【選択図】図１
0003115976.tif 000002
【実用新案登録請求の範囲】
【請求項１】
斜面で構成した弁当容器の蓋。
【請求項２】
請求項１の斜面の最下部の位置に、湯気でできた結露の水を受けるポケットを、食品の入るポケットとは別に設けてある弁当容器。
【考案の詳細な説明】
【技術分野】
【０００１】本考案は温かい食品、又、温めた食品による結露を取り除くための蓋付の弁当容器に関する。
【背景技術】
【０００２】弁当をテイクアウトする場合、温かい食品にすぐ蓋をしていて、コンビニエンスストアーの弁当の場合は、電子レンジで温める場合が多い。両者とも蓋は平面であり、結露のみを受けるポケットもない為、水滴は食品内へ落下している。
【考案の開示】
【考案が解決しようとする課題】
【０００３】温かい食品を入れた場合、又、弁当を温めた場合に、弁当容器の内外の温度差による湯気でできる蓋の内面への結露の、食品内への落下により、食品の水っぽさ、さらに美味しさを阻害してしまう課題がある。
【課題を解決するための手段】
【０００４】上記欠点を解決するため、請求項１に記載の考案においては、斜面で構成した弁当容器の蓋の構成である。【０００５】更に、請求項２に記載の考案においては、請求項１の斜面の最下部の位置に、湯気でできた結露の水を受けるポケットを、食品の入るポケットとは別に設けてある弁当容器の構成である。
【考案の効果】
【０００６】本考案は、蓋付の弁当容器において、蓋を斜面で構成し、容器側においては蓋の斜面の最下部の位置に結露専用のポケットを配置するようにした。この結果、湯気は結露として斜めになった蓋に付着し、冷めた時に大粒の水滴となって斜面をつたって、結露専用のポケットに集まるので、食品には水滴が落ちない為、食品を水っぽくする事のない弁当容器を提供する事ができる。【０００７】そして、蓋をあける際はそのポケットを軸としてはね上げれば、残りの結露も結露専用のポケットへ集める事もできる為、食品内、又テーブルの上へ、結露を落とす事がない為、テーブルが濡れる事も防ぐ。
【実施例】
【０００８】図１においては、１は蓋、２は弁当容器、３は蓋に施した斜面、４は結露専用のポケット、５は食品の入るポケットである。
上記本考案の実施例によると、蓋１には斜面３が施されており、食品からでた湯気を、そのまま下の食品の入るポケット５内に落とす事を防ぐ。なお結露は結露専用のポケット４に集まり、食品の入るポケット５と別にある事で食品がベタつく事を防ぐ。
【図面の簡単な説明】
【図１】本考案に係る結露取り蓋付弁当容器の説明図。
【符号の説明】
１  蓋
２  弁当容器
３  斜面
４  結露専用のポケット
５  食品の入るポケット
【図１】
0003115976.tif 000003
(57)【要約】      （修正有）【課題】暴漢等が刃物を持って進入した際に、単身応戦した場合、撃退したり捕獲する事は非常に危険を伴い技術的に難しい事である。その際、暴漢等を単に力で取り押さえるのではなく、安全且つ確実に取り押さえる事が出来る道具を提供する。【解決手段】さすまた本体１にマイオトロン６を取り付けたことにより、暴漢等を単に力で取り押さえるのではなくさすまたの先端の電極４よりパルスウエーブを流し、人間の脳の中にあるモーターコーテックス（運動神経）とハイパラサスマス間脳の一部である視床下部）からの脳波をインターセプトし一時的に機能不能にし、そのため人間の運動をつかさどる随意筋がコントロールを失い、暴漢は腰抜け状態でその場に倒れ込んでしまうことのより、安全且つ確実に取り押さえる事が出来る。【選択図】図１
0003115971.tif 000002
【実用新案登録請求の範囲】
【請求項１】
さすまた本体１の握り部分に取付けた横棒２の握りの部分にスイッチ５を備えたマイオトロン部６を取り付け、さすまた本体１のＵ字型部分とさすまた本体の先端から中ほどまで設けた電極４と前記スイッチ５を結び、前記スイッチ５を押す事によりマイオトロン６より発生されたパルスウエーブが電極４より放電することを特徴とするマイオトロン機能付きさすまた。
【考案の詳細な説明】
【技術分野】
【０００１】  本項案は、従来のさすまたにマイオトロンの機能を設けたさすまたに関するものである。
【背景技術】
【０００２】  学校・病院等において暴漢等が刃物などを持って進入した場合、素手や近くにあるモップ、さすまた等を使用し応戦していた。
【考案の開示】
【考案が解決しようとする課題】
【０００３】  暴漢が刃物を持って進入した際に、さすまたで単身応戦した場合ただ単に押え込みに限られ、撃退したり捕獲する事は非常に危険を伴い技術的に難しい事である。従って、さすまたにマイオトロンの機能を設ける事で、暴漢等を単に力で取り押さえるのではなく人間の脳の中にあるモーターコーテックス（運動神経）とハイパラサスマス間脳の一部である視床下部）からの脳波をインターセプトし一時的に機能不能にし、そのため人間の運動をつかさどる随意筋がコントロールを失い、暴漢は腰抜け状態でその場に倒れ込んでしまい、安全且つ確実に取り押さえる事が出来、前述の欠点を解決しようとするものである。また心臓などを動かす不随意筋にはまったく作用しないために後遺症の心配など無く安全である。
【課題を解決するための手段】
【０００４】  本項案は、さすまた本体にマイオトロンを取り付けたことにより、さすまたの先端及びさすまた本体中ほどまでに電極をもうけ、暴漢等を取り押さえるとともにある一定のパルスウエーブ流す事により暴漢等の運動をつかさどる随意筋がコントロールを失い、暴漢は腰抜け状態でその場に倒れ込んでしまうことにより問題点を解決している。
【考案の効果】
【０００５】  上記のように、本考案のマイオトロン機能付きさすまたは従来のさすまたのように暴漢を取り押さえることはもちろん、マイオトロンの機能を取り付けた事にで単身での捕獲や力の弱い者や取り押さえるための技術の無い者でも暴漢等を安全且つ確実に捕獲する事が出来る。
【考案を実施するための最良の形態】
【０００６】  さすまた本体の先端のＵ字型部分で暴漢等を押え込み相手の自由を奪い、刃物等を所持し抵抗が激しい時に握り部分に設けたスイッチを押す事によりＵ字型部分と本体中ほどまで取り付けた電極部分いずれかに触れた暴漢等は、パルスウエーブが流れ失神状態になり捕獲する事ができる。暴漢は、さすまたのＵ字型先端はおろか本体中ほどまでは触れる事すらで出来ない。また、本体手元にゴム製のグリップを設け握りやすくし、中ほどに取り付けた横棒により暴漢に対しＵ字型部分が確実に使用に適した角度で使用できるようになる。
【実施例】
【０００７】  以下、添付図面に従って一実施例を説明する。１はアルミニュウム金属等適宣素材で形成されたさすまた本体。４は電極で、Ｕ字型部分のマイオトロン部より出されたパルスウエーブを、この場所から放出し暴漢等を押え込み失神状態にさせ捕獲する。５はマイオトロンスイッチ。６はマイオトロン部。【０００８】  ２の横棒は、使用するにあたり暴漢に対しＵ字型部分が確実に最適な角度で使用するのに有効である。【０００９】  ３はゴム製グリップでさすまた本体をつかみやすく扱いやすくする。
【図面の簡単な説明】
【００１０】
【図１】本考案のマイオトロン機能付きさすまたの一実施例を示す正面図である。
【符号の説明】
【００１１】    １  さすまた本体
２  横棒
３  ゴム製グリップ
４  電極
５  スイッチ
６  マイオトロン部
【図１】
0003115971.tif 000003
(57)【要約】      （修正有）【課題】肩用パッドをザック類にワンタッチで取り付けることによって、重い荷物を長時間背負う際に生じる、肩の疲労や痛みを軽減する。【解決手段】肩用パッド本体とその本体に面ファスナ２ａ、２ｂを取り付ける。本体は表面が骨材、裏面がクッション材で構成されており、これらが貼り合わされたものである。また、本体がザック類の肩ベルトとの横ずれを防止するため、本体の首に近い部分の前部が立ち上がっている形状をなしたものである。使用方法としては、利用者がザック類を背負った後、本体を肩と肩ベルトとの間に挟み、その後面ファスナ２ｂをザック類の肩ベルトに巻くようにして面ファスナ２ａに接着する。このようにして肩用パッドを使用することによって、肩全体にザック類の荷重がかかり、肩の疲労や痛みを軽減することができる。【選択図】図１
0003115973.tif 000002
【実用新案登録請求の範囲】
【請求項１】
本肩用パッドは本体と、本体に設けられた面ファスナからなり、首に近い部分の幅が広く、腕に近い部分の幅が狭く、肩を包む形状に湾曲しており、当肩当ての首に近い部分の前部及び腕に近い部分の後部それぞれに、面ファスナ雄部雌部を設けた肩当て。
【請求項２】
前記肩当ての本体は、表面が硬直性のある素材（骨材）、裏面が弾力性のある素材（クッション材）であり、それらが貼り合わされたものであるが、他の実施形態としてとして、材質的にザック類の肩ベルトと交わる方向には硬直性があり、肩を包む方向には弾力性のある素材を使用した請求項１記載の肩当て。
【請求項３】
前記肩当ての本体は、首に近い部分の前部が立ち上がっている形状をなしていることを特徴とする請求項１記載の肩当て。
【請求項４】
前記肩当ては、面ファスナ雄部の先端部に、着脱の便宜を図るための突起物を設けた請求項１記載の肩当て。
【考案の詳細な説明】
【技術分野】
【０００１】  本考案は、ザック類を使用する際の、肩の疲労や痛みを軽減するための肩用パッドに関するものである。主に、登山におけるザック類を背負う際に利用される技術であり、左記以外でも、重い荷物を長時間背負う際全般に利用できる技術である。
【背景技術】
【０００２】  ザック類の肩ベルトには、これまで肩当てはついていなかった。あるいは、既に発明及び考案された肩当てに関する技術は、利用上の簡便さに欠けていた。
【考案の開示】
【考案が解決しようとする課題】
【０００３】  重い荷物を長時間背負うものにとって、特に中高年者や女性など筋力の弱いものにとって、肩の疲労や痛みなどによる苦痛があった。そこで、この考案は重い荷物を長時間背負うものの、肩の疲労や痛みを軽減することを課題とする。
従来は登山におけるザック類の重みは、肩の痛みとともに感じることが山歩きをするものの常識となっていたきらいがある。したがって、従来技術として普及していなかった。
【課題を解決するための手段】
【０００４】  以上の課題を解決するために、第１考案は当肩当てが肩全体を包むような形状をしており、着脱しやすい方向に面ファスナを設け、当肩当てをザック類の肩ベルトにワンタッチで取り付けることができること、を特徴とする肩当てである。
また第２考案は、当肩当てがザック類の肩ベルトと接する部分は硬直性があり、肩に接する部分は柔軟性がある素材をそれぞれ用いることによって、肩全体に荷物の荷重がかかること、を特徴とする肩当てである。
また第３考案は、ザック類の肩ベルトとの横ずれを防止するため、及び当肩当てが首との接触による皮膚の擦れを防止するため、首に近い部分の前部が立ち上がっている形状をなしていること、を特徴とする肩当てである。
また第４考案は、寒冷時手袋をつけたまま着脱できるよう、面ファスナ雄部先端部に突起物を設けたこと、を特徴とする肩当てである。
【考案の効果】
【０００５】  第１考案、第２考案、第３考案及び第４考案によって、重い荷物を長時間背負うことによる、肩の疲労や痛みの軽減を提供することができる。
また、既に購入され各人が使用しているザック類にワンタッチで取り付けることができるため、誰でも容易に利用できるという利便性、経済性が求められる。
【考案を実施するための最良の形態】
【０００６】  この考案の一実施形態を図１に示す。
肩当ての本体は１ａ骨材と、１ｂクッション材を貼り合わせたものであり、この本体には面ファスナ２ａ、２ｂが設けられており、面ファスナ２ｂの先端部に突起物３が設けられている。
【実施例】
【０００７】  この実施形態によれば、ザック類を背負って、肩とザック類の肩ベルトとの間に本体を入れた後、面ファスナ２ｂを肩ベルトに巻きつけて、他の面ファスナ２ａに接着する。したがって、当肩当てをワンタッチでザック類の肩ベルトに接着することができる。また、肩当ての本体が湾曲しており内側がクッション材のため、重荷が肩全体に荷重され、肩の疲労や痛みを軽減することができる。【０００８】  図１の実施形態では、本体は骨材とクッション材の貼り合わせたものであったが、他の実施形態では、本体は一体の素材で、ザック類の肩ベルトと交わる方向には硬直性があり、肩を包む方向には弾力性がある材質を使用することで、同様の効果を得ることができる。
【図面の簡単な説明】
【０００９】
【図１】本考案の一実施形態を示す斜視図（左肩用）である。
【図２】本肩用パッドの平面図（左肩用）である。
【図３】本肩用パッドの使用状態図である。
【符号の説明】
【００１０】１ａ  本体表面
１ｂ  本体裏面
２ａ  面ファスナ雌部
２ｂ  面ファスナ雄部
３    突起物
【図１】
0003115973.tif 000003
【図２】
0003115973.tif 000004
【図３】
0003115973.tif 000005
(57)【要約】【課題】又上が深いズボンを履く場合と、肥満の人の場合はベルトで引き上げて固定しても、動くことでずり下がることが多く不便であった。サスペンダーで肩から吊る方法も肩こりの原因になり敬遠されがちである。【解決手段】本考案は、インナーベルトを用い、そのベルトに３枚の当板を装着し、その当板が丁度腰骨の位置と後ろの腰の位置で保持されるように自在に取り付け可能とし、当板とズボンを面ファスナーあるいは袋あるいは止め具にて装着固定し、インナーベルトを締めることで、当板をしっかりと腰部に固定することによって、ズボンの位置を引き上げてずり下がりを防止し、さらに上からベルトを締め、当板を押さえることで効果を確実なものとして問題点を解決している。【選択図】  図１
0003115993.tif 000002
【実用新案登録請求の範囲】
【請求項１】
体側面の両腰骨の位置にずり落ちない様に取り付けセット可能な、２枚の湾曲したあるいは板状の厚さ０．５〜５．０ｍｍのプラスチック、ゴム、皮、あるいは金属製の当板と、体後部の腰の位置にセット可能なプラスチック、ゴム、皮、あるいは金属製の中から選ばれた１又は２以上の組み合わせの当板を備えた１．０〜２０．０ｃｍ幅のインナーベルト。
【請求項２】
請求項１記載のインナーベルトの３つの当板を両サイドと後部に固定する為の面ファスナー、ホック、ファスナー、袋あるいはクリップ固定具をあらかじめ取り付けたズボン。
【請求項３】
請求項１記載の両サイドの当板の周囲にゴム、軟質プラスチック、ウレタン、布を備えていることを特徴とする請求項１記載のインナーベルト。
【考案の詳細な説明】
【技術分野】
【０００１】
本考案は、衣料特にズボンのファッション技術分野において、３つの当板を設けたインナーベルトに関するものである。
【背景技術】
【０００２】
ズボンを履く場合は、紐またはゴムあるいは皮製のベルトで締めて固定する方法と、肩からサスペンダーで吊る方法がある。
【考案の開示】
【考案が解決しようとする課題】
【０００３】
又上が深いズボンを履く場合と、体型的に肥満型の人の場合は、ベルトで引き上げて固定しても体を動かすことによってずり下がることが多く、常に引き上げて元のベルトを締めた位置に戻す必要があり、面倒を感じることが多い。
【０００４】
ずり下がりを防止する為のサスペンダーで吊る方法があるが、常時肩に負担がかかる為に、肩こりの原因になることと上着を脱いだ場合の外見上の見た目の悪さで敬遠されがちであった。
【課題を解決するための手段】
【０００５】
本考案は、インナーベルトを用い、そのベルトに３枚の当板を装着し、その当板が丁度腰骨の位置と後ろの腰の位置で保持されるように自在に取り付け可能とし、当板とズボンを面ファスナーあるいは袋あるいは止め具にて装着固定し、インナーベルトを締めることで、当板をしっかりと腰部に固定することによって、ズボンの位置を引き上げてずり下がりを防止し、さらに上からベルトを締め、当板を押さえることで効果を確実なものとして問題点を解決している。
【考案の効果】
【０００６】
本考案の当板付インナーベルトは、当板を設けることでベルトの締める位置を引き上げて、しかも腰骨によって支えることでずり下がりを防止し、特に正装用に多い又上の深いズボンと、肥満の体型でもずり下がりを防止して、外見上もスタイル良く洋服を着こなすことを可能にした。
【考案を実施するための最良の形態】
【０００７】
幅５ｃｍ、厚さ１ｍｍの帯生地に、面ファスナーバンドを図１の通り取り付けたインナーベルトであって、両サイドの腰骨の位置でとまるように自在に体型に合わせて動くようにとりつけた厚さ１ｍｍ、高さ８ｃｍ、幅６ｃｍの図２で示した弾力のある、体の側面にピタリと合うように湾曲させた硬質プラスチック製の左右の当板と、後ウェスト部ズボンの腰の位置をひきあげるように、丁度真後ろの腰の位置で止まるようにとりつけた硬質プラスチック製の当板の下端が来るように閉めて、ズボンの内側には左右の当板の上部に幅５ｃｍ、高さ２ｃｍの面ファスナーをとりつけ、後部当板にも同様にしてとりつけ、ズボンの内側には、この３箇所に貼り付けてセットできる面ファスナーのメス側を貼り付けて固定させる。セットしたインナーベルトとズボンは、３箇所で固定される。これをはいてインナーベルトを締めれば、ズボンは固定される。
【実施例】
【０００８】
図１で示した通り、両サイドと後ウェスト部で止まるように自在に体型に合わせて動くように取り付けた、暑さ１ｍｍ、高さ８ｃｍ、幅６ｃｍの図２で示した弾力のあるプラスチック製の左右の当板と後ウェスト部に取り付けた当板の上部に面ファスナーのオス部をそれぞれ図４のごとくとりつけることができるインナーベルトと、図５で示した面ファスナーのメス部を取り付けたズボン。
【０００９】
実施例１で示した面ファスナーに換えてホックを当板とズボンに装着したもの。
【００１０】
図１で示した当板付インナーベルトの左右の当板の上部約３ｃｍがスッポリと入る布製の袋をズボンのウェスト部、図５で示した面ファスナーのメス部をとりつける部分に縫いつけたズボンにインナーベルトを装着する。
【００１１】
図１で示した当板の上端にクリップをとりつけて、クリップでズボンのウェスト部の上端を挟みこんでつりつける方法、図６で示したもの。
【図面の簡単な説明】
【００１２】
【図１】本考案の実施形態を示す全体図
【図２】左右の当板図
【図３】後ウェスト部当板図
【図４】後ウェスト部側面図
【図５】面ファスナーメス部が縫い付けられたズボンの図
【図６】ズボンに面ファスナーでずりさがり防止インナーベルトが装着された状態図
【符号の説明】
【００１３】
１    インナーベルト帯地部
２    左右当板
３    後ウェスト部当板
４    面ファスナーオス部
５    面ファスナーメス部
６    インナーベルトゴム生地部
７    インナーベルトを通す帯地製輪
【図１】
0003115993.tif 000003
【図２】
0003115993.tif 000004
【図３】
0003115993.tif 000005
【図４】
0003115993.tif 000006
【図５】
0003115993.tif 000007
【図６】
0003115993.tif 000008
(57)【要約】      （修正有）【課題】スロットを遊技する際、手の側面でスタートレバーを叩く事により手が痛くなり、又、手の小指を痛めたりすることを防止する。【解決手段】小指のサイズに合わせてウレタンスポンジを巻き、取り外しが簡単な指サポーターを作る。又、シールシートに印刷が可能な素材を使う事により、色々なデザインが楽しめる。【選択図】図３
0003115911.tif 000002
【実用新案登録請求の範囲】
【請求項１】
衝撃吸収性ウレタンを素材とし、図１に示す特殊形状のものから切断を可能にすることで、指のサイズに合わせて個人で作る事が出来る指サポーター。
【請求項２】
印刷可能なシールシートで請求項１を装飾固定する事により、色々なデザインで使用する事が出来る指サポーター。
【考案の詳細な説明】
【技術分野】
【０００１】
この発明はスロットを遊技する人が、スタートレバーを叩く時に、指や手を痛める事を防ぐために保護を目的とするものに関する。
【考案の開示】
【考案が解決しようとする課題】
【０００２】
スタートレバーを小指から手の側面で叩く人にとって、叩き過ぎによる小指の痛みや叩きダコなどのマメが出来てしまう事を課題とする
【課題を解決するための手段】
【０００３】
以上の課題を解決するために、この発明は小指のサイズに合わせてウレタンスポンジを巻き、取り外しが簡単な指サポーターを作る事が出来る。  又、シールシートに印刷が可能な素材を使う事により、色々なデザインが楽しめる。
【考案の効果】
【０００４】
この発明により、スロットを遊技する際に小指や手の側面を傷めていた人や叩きダコが出来てしまっていた人に指を保護する効果をもたらす。
【考案を実施するための最良の形態】
【０００５】
本体ウレタンを小指サイズにカットする事により、個人にフィットする指サポーターが出来、シールシートに印刷するデザインで好みの絵柄で使用する事が出来る。
【０００６】
この発明の実施形態を図４のように、実施する事によりスロットレバーを叩く時、小指から手の側面にかかる衝撃をやわらげ保護します。  
【図面の簡単な説明】
【０００７】
【図１】素材に衝撃吸収性ウレタンスポンジ、表面に（実施時内側）吸汗性の素材を使用。図１のｘを切断することで指の長さ、ｙを切断する事で太さを調節する。
【図２】図１を固定するラミネートシール。素材はウレタン・ビニールなどを使用。又、シールを剥がす面がＡ・Ｂと別れＢ面を後から剥がず事により、図１を巻き付けて固定する際、固定しやすい。
【図３】図１・２を元に作成した完成品。
【図４】図３を装着した実施例。
【符号の説明】
【０００８】
ｘ：指の長さを合わせる切断箇所
ｙ：指の太さを会わせる切断箇所
Ａ：仮形成接着面
Ｂ：固定完成接着面
【図１】
0003115911.tif 000003
【図２】
0003115911.tif 000004
【図３】
0003115911.tif 000005
【図４】
0003115911.tif 000006
【手続補正書】
【提出日】平成16年11月8日(2004.11.8)
【手続補正１】
【補正対象書類名】実用新案登録請求の範囲
【補正対象項目名】請求項１
【補正方法】変更
【補正の内容】
【請求項１】
台形の下部に突起部分を設け、曲線的に結んだ特殊形状の衝撃吸収性ウレタンを個人が小指のサイズに合わせて切断し、ラミネートシールで巻いて筒状に固定して使用することで、スタートレバーを叩く衝撃から手を保護する事を特徴とする指サポーター。          
【手続補正２】
【補正対象書類名】実用新案登録請求の範囲
【補正対象項目名】請求項２
【補正方法】変更
【補正の内容】
【請求項２】
印刷可能なシールシートに絵柄など印刷し、衝撃吸収性ウレタンに貼り、装飾した後、ラミネートシールで固定することにより色々なデザインで楽しむことが出来る事を特徴とする請求項１に記載の指サポーター。
【手続補正３】
【補正対象書類名】明細書
【補正対象項目名】０００８
【補正方法】変更
【補正の内容】
【０００８】
Ｘ：指の長さを調節する切断箇所
Ｙ：指の太さを調節する切断箇所
Ａ：仮形成接着面
Ｂ：固定完成接着面
【手続補正書】
【提出日】平成17年3月8日(2005.3.8)
【手続補正１】
【補正対象書類名】実用新案登録請求の範囲
【補正対象項目名】請求項１
【補正方法】変更
【補正の内容】
【請求項１】
台形の下部に突起部分を設け、曲線的に結んだ特殊形状の衝撃吸収性ウレタンを個人が小指のサイズに合わせて切断し、ラミネートシールで巻いて筒状に固定したもので、スタートレバーを叩く衝撃から手を保護する事を特徴とする指サポーター。          
【手続補正２】
【補正対象書類名】実用新案登録請求の範囲
【補正対象項目名】請求項２
【補正方法】変更
【補正の内容】
【請求項２】
印刷可能なシールシートに絵柄など印刷し、衝撃吸収性ウレタンに貼り、装飾した後、ラミネートシールで保護する事を特徴とする請求項１に記載の指サポーター。
(57)【要約】【課題】  仏壇の内陣の華燭を設置するための現場での金具の取り付け作業を不要にしてその時間と労力を軽減するとともに、その金具を必要としない場合に取り外さなくても済むような吊り金具を提供する。【解決手段】  螺子釘Ａを内腔に貫通させるに足る短筒体１の外側壁に一対の小孔２を設け、該小孔２に装飾性の吊り金具３の上端部を掛止して、仏壇内陣の華燭用吊り金具とする。その吊り金具３には上端部において小孔２に掛止できる突起３ａと下端部において華燭吊持用鉤ないし孔３ｂがある。【選択図】  図３
0003115914.tif 000002
【実用新案登録請求の範囲】
【請求項１】
螺子釘を内腔に貫通させるに足る短筒体の外側壁に一対の小孔を設け、該小孔に装飾性の吊り金具の上端部を掛止して成るものとし、該吊り金具の上端部には一対の該小孔に掛止できる突起を有するとともに、該吊り金具の下端部には華燭吊持用鉤ないし孔を有することを特徴とする仏壇内陣の華燭用吊り金具。
【考案の詳細な説明】
【技術分野】
【０００１】  この考案は、仏壇内部（内陣）を飾る吊り形態の華燭（主に洋洛）を吊り止めるための金具に関する。
【背景技術】
【０００２】  周知のように仏壇は、上台輪、天井、扉（戸板）、下台輪などから構築された外築部と、その中に構築される屋根、柱（かとう）、らいはんなどから成る内築部とから構成されており、更に各種の華燭が設置されるが、それらのなかで天井部或いは屋根部から吊り設置される華燭の代表的なものとして洋洛がある。この洋洛などを吊り下げるための金具として、従来はヒートンと呼ばれる螺子付き金具（図４）を、予め天井或いは屋根下面に錐穴を設けてそこにねじ込み取り付けることにより設置していた。
【考案の開示】
【考案が解決しようとする課題】
【０００３】  このような現状において、実際に現場で取り付け作業を行なうにあたり、予め錐で穴をあけてそこにヒートンをねじ込む操作は、スペースの制約もあって甚だ困難であるとともに多くの時間がかかり、ユーザーなどからも改善が要望されていた。【０００４】  本考案はかかる問題点を解決するために、現場での金具の取り付け作業を不要にしてこれをメーカーサイドで行なう形態のものとし、さらにこの金具を必要としない場合に取り外さなくても支障ないような吊り金具を提供することを課題とする。
【課題を解決するための手段】
【０００５】  螺子釘Ａを内腔に貫通させるに足る短筒体１の外側壁に一対の小孔２を設け、該小孔２に装飾性の吊り金具３の上端部を掛止して、本考案の仏壇内陣の華燭用吊り金具とする。【０００６】  螺子釘Ａは木螺子とも呼ばれ一般によく使われているものであり、対象物の大きさに応じて各種寸法のものがあるが、本考案に於いては主に仏壇内部の屋根下面に用いることから自ずから小形のものとなり、従って短筒体１の寸法も、その長さが螺子釘Ａの螺旋部より短く、内径が螺子釘Ａの螺旋部外径より若干大きい程度のものと、自ずから決まるわけである。【０００７】  短筒体１の外側壁に設ける一対の小孔２は、装飾性の吊り金具３の上端部を安定的に掛止するためにはできるだけ深いことが望ましいことは勿論であるから、事実上貫通孔のような形態となる。また一対の小孔２の位置はそれぞれ対称位置にあることが望ましいことは言うまでもない。【０００８】  装飾性の吊り金具３は、上端部において小孔２に掛止できる突起３ａと下端部において華燭を吊持できる華燭吊持用鉤ないし孔３ｂとがあるものについて、美観的に違和感のないものにできればよい。すなわちヒートンのような工業部品的イメージのものでない限り、例えば通常のデザイン化や金メッキなどの常套手段により十分に装飾性をもたせることができる。但し図面に示したようなあまり目立たない程度のものが好ましい。
【考案の効果】
【０００９】  本考案によれば、仏壇の製造時（場所）において従来のヒートンでなくこの装飾性の金具を取り付けておくことにより、販売先での取り付け作業を大幅に軽減できることになり、しかもこのような吊り金具を必要としない場合であっても、取り付けたままで不使用時に「飾り金具」として何ら違和感なくその外観を保つことができるという効果がある。
【考案を実施するための最良の形態】
【００１０】  長さ約５ｍｍ、外径約５ｍｍ、内径約２ｍｍの金属性の短筒体１の側壁略中央部の対称位置において一対の直径約１ｍｍの貫通した小孔２を穿ち、その小孔２にそれぞれ挿入できる内向きの突出部を有する掛止腕を３ａとして上方に有するとともに下方に華燭を吊持するための貫通孔を３ｂとして有する図面のような装飾性の吊り金具を用意して該小孔２に該掛止腕の内向き突出部を挿入し、さらに金メッキを施して本考案の華燭用吊り金具とする。取り付けは予め仏壇内陣における屋根下面の所定位置に当該吊り金具の短筒体１を縦に当ててその空洞部に螺子釘Ａを螺子込み固定する。
【産業上の利用可能性】
【００１１】  上記の本考案の華燭用吊り金具は、既存の製造技術で容易に製作できるとともに、現場での取り付け作業の軽減と時間の短縮は業者のみならずユーザーからも大いに歓迎されるものであり、産業上の利用可能性は十分であるといえる。
【図面の簡単な説明】
【００１２】  図１……本考案における短筒体一例の見取図
図２……本考案における装飾性の吊り金具一例の正面図
図３……本考案一例の正面図
図４……ヒートン一例の正面図
【符号の説明】
【００１３】  １……短筒体
２……小孔
３……装飾性の吊り金具
３ａ……小孔に掛止できる突起
３ｂ……華燭吊持用鉤ないし孔
Ａ……螺子釘
【図１】
0003115914.tif 000003
【図２】
0003115914.tif 000004
【図３】
0003115914.tif 000005
【図４】
0003115914.tif 000006
(57)【要約】      （修正有）【課題】空気を入れて膨らまして使う筆洗い用の水入れ。いろいろな形の水入れが作れ、水を入れても容器が変形しずらく、水もこぼれにくい。【解決手段】本体（１）に空気注入口（２）をつけた物。注入口は図では飛び出しているが本体に引っ込めることも出来る。（３）は取っ手。【選択図】図１
0003115916.tif 000002
【実用新案登録請求の範囲】
【請求項１】
本体（Ｉ）に空気吹き込み口（２）を取り付けた空気で膨らます水入れ
【考案の詳細な説明】
【考案の詳細な説明】
【産業上の利用分野】
【０００１】  この考案は小学校などで絵を描くときに使う筆を洗う水入れである
【背景技術】
【０００２】  従来透明ビニールの水入れがあった
【考案が解決しようとする課題】
【０００３】  これには次のような欠点があった
支えがないので水を入れると水入れの形が変形して水がこぼれたりした
本考案はこれらの欠点を除くためになされたものである
【問題を解決するための手段】
【０００４】    本体（Ｉ）に空気吹き込み口（２）をつける
【作用】
【０００５】空気吹き込み口に空気を吹き込むすると膨らんで水入れが完成する
【実施例】
【０００６】    以下本案の実施例について説明する
（イ）円筒型  子供用のビニールプールを小さくしたようなもの
（ロ）四角型のもの
（ハ）直方体を三つに区切ったもの
（ニ）三角柱のもの
（ホ）動物などをかたどたもの
【考案の効果】
【０００７】    このように本体に空気を入れることによって水を入れても大きく型崩れしない水入れが出来る
【図面の簡単な説明】
【０００８】
【図１】本考案の斜視図である
【図２】本考案の他の実施例を示す斜視図である。
【図３】本考案の他の実施例を示す斜視図である。
【図４】本考案の他の実施例を示す斜視図である。
【図５】本考案の他の実施例を示す斜視図である。
【符号の説明】
【０００９】  １は本体  ２は空気吹き込み口  ３は取っ手
【図１】
0003115916.tif 000003
【図２】
0003115916.tif 000004
【図３】
0003115916.tif 000005
【図４】
0003115916.tif 000006
【図５】
0003115916.tif 000007
(57)【要約】【課題】本考案はうろこ取り用具の金具等の部分にうろことびはね防止カバーを取り付け外部にうろこ等がとびちる事を防止する。【解決手段】本考案は、うろこ取り用具本体１の金具等の先端の部分に３のつめの部分を間に引っ掛け、その後４の円筒状で少し開いている所を１の金具等の元の所へはめ込む事によりうろこ等の外部へのとびちりなどを防ぐことにより、周囲を気にする事なく作業をする事が出来るという便利なものである。【選択図】図３
0003115915.tif 000002
【実用新案登録請求の範囲】
【請求項１】
うろこ取り用具本体の金具等の部分にうろこ等が外部に飛び散らない様防止するため金具等のサイズに合ったカバーを取り付けうろこ等の飛び散りを防ぐ事を特徴とするうろこ飛び散り防止カバー。
【考案の詳細な説明】
【技術分野】
【０００１】本考案は魚当うろこを取り除く際、外部にうろこが飛び散らない様防止に関するものである。
【背景技術】
【０００２】従来のままで魚等うろこを取り除く時いたる所にうろこが飛び散り後のそうじが大変であった。
【考案の開示】
【考案が解決しようとする課題】
【０００３】従来のままで魚等のうろこをとりのぞく際外部にうろこが飛び散り後のそうじが大変で時間的、労働的負担であり従ってうろこ取り用具の機能と防止カバーを取り付けることにより前述の欠点を解決しようとするものである。
【課題を解決するための手段】
【０００４】本考案は、うろこ取り用具の金具等のサイズに合った防止カバーを作り金具等の部分にはめ込み取り外し可能にする事によりうろこ等が防止カバーにたまり取り外してたまったうろこ等を捨てるという従来のままでの作業でのうろこ等の外部への飛び散り又後片付けの大変さ等の問題点を解決している。
【考案の効果】
【０００５】上述の様に本考案のうろこ飛び散り防止カバーは、従来の用具のままうろこ等を取り除く場合あちらこちらに飛び散って後のそうじが大変であったが、用具に防止カバーをつける事により時間的、労働的にも楽になり尚且つうろこ等の飛び散り防止として役立つので周囲を気にせずに作業する事ができる。
【考案の実施するための最良の形態】
【０００６】従来のうろこ取り用具の金具等のサイズに合わせポリプロピレン、プラスチック等の透明度のある素材にて防止カバーを作り、カバーのつめの部分を金具等の先端部に引っかけ固定しうろこ取り用具の手元の部分には少し強度をつけてはめ込み式にすれば簡単に取り外し可能となり何度か使った後防止カバーはうろこ等と一緒に捨てればよい。
【実施例】
【０００７】以下添付図面に従って一実施例を説明する、１はうろこ取り用具本体、２は防止カバー、３は本体に引っかける為のつめ部分４は本体にはめ込みが出来るように円筒状で少し強度をもたせ取り外しの出来る様に間を開けたもので上から押すことで元にはめ込むことができる。
【図面の簡単な説明】
【０００８】
【図１】本考案の防止カバーを上から見た平面図である
【図２】本考案の防止カバーを横からの断面図である
【図３】本考案をうろこ取り用具に取り付ける際の平面図である
【図４】本考案をうろこ取り用具に取り付けて横から見た断面図である
【図５】本考案を本体に取り付け上から見た平面図。
【符号の説明】
１、うろこ取り本体
２、カバー
３、本体に引っ掛けるためのつめ部分
４、本体にはめ込む円筒状部分
【図１】
0003115915.tif 000003
【図２】
0003115915.tif 000004
【図３】
0003115915.tif 000005
【図４】
0003115915.tif 000006
【図５】
0003115915.tif 000007
【手続補正書】
【提出日】平成17年3月4日(2005.3.4)
【手続補正１】
【補正対象書類名】実用新案登録請求の範囲
【補正対象項目名】全文
【補正方法】変更
【補正の内容】
【実用新案登録請求の範囲】
【請求項１】
従来のうろことり金具本体をもとに先端は密着させ、先につめ等のような固定できるものをつけ、両方の側面、又上部にはある程度の間隔をあけ左右のはしには折目をつけ、ふち取を付け箱型（特に型の規定はない）のカバーを作り本体の金具と取手の付け根に当たる部分は少し強度をつけはめ込んで固定できるようにする、使用の際は、金具本体に上からかぶせ、先端の中央部につめ等のようなもので折り込み固定させ、金具と取手の付け根部分にはめ込み固定合体させる事により、うろこ等の飛び散りを防ぐ、そのように形成されている事を特徴とする、うろこ飛び散り防止カバー。
【手続補正２】
【補正対象書類名】図面
【補正対象項目名】全図
【補正方法】変更
【補正の内容】
【図１】
0003115915.tif 000008
【図２】
0003115915.tif 000009
【図３】
0003115915.tif 000010
【図４】
0003115915.tif 000011
【図５】
0003115915.tif 000012
【手続補正書】
【提出日】平成17年6月7日(2005.6.7)
【手続補正１】
【補正対象書類名】実用新案登録請求の範囲
【補正対象項目名】全文
【補正方法】変更
【補正の内容】
【実用新案登録請求の範囲】
【請求項１】
うろこ取り本体にカバーを設けうろこの飛び散りを防ぐカバーの先につめを設け、両方の側面また上部にはある程度うろこ取り本体との間隔が取れる大きさにし、取手にあたる部分は少し強度をつけはめ込んで固定、取り外しが可能にする、使用の際はうろこ取り本体に上からかぶせ、本体の先端の中央につめを折り込んで固定させ、本体の取手の付け根部分にはめ込み固定合体させる事により、うろこの飛び散りを防ぐそのように形成されている事を特徴とするうろこ飛び散り防止カバー
(57)【要約】      （修正有）【課題】自在に傾斜して打球練習の出来る用具を提供する。【解決手段】この打球練習台を使用すると傾斜角度が前、後、左、右に自在に上り、下りするため自宅なり練習場などで簡単に打球練習が出来るため容易にゴルフ技術の向上を図ることが出来る。【選択図】図１
0003115913.tif 000002
【実用新案登録請求の範囲】
【請求項１】
別図Ｐ  に依る説明
▲１▼打球台の下部に電動式ジャッキ▲２▼を設置、更に固定柱▲３▼を支点に電動式ジャッキの上げ下げに依り、前、後、右、左、に傾斜角度を変えることが出来る用具である。
【考案の詳細な説明】
０１  （産業上の利用分野）
自在に傾斜して打球練習の出来る用具である
０２  （従来の練習場）
従来のゴルフの打球練習場は平坦な場所でしか練習出来ない。
０３  （考案解決しようとする課題）
練習場には次の様な欠点がある
▲イ▼実際にゴルフ場でプレーするにはいつも平坦な場所は少なくほとんどの打球の時は、前、後、左、右、に傾斜がついている場所からのプレーの連続
０３  ▲イ▼である
０４  （解決手段）
（Ｐ１−０３）−▲イ▼の様な原点にたって考えた時これらの難しい打球の練習が此の用具を使用することに依って自宅なり又練習場などでも容易に出来技術の向上に継がる
０５  （作動）
打球台の下に設置された電動式ジャッキがボックス内蔵の押ボタンスイッチ▲４▼を押して上、下に作動し傾斜角度が自在に変えられる
０６  （安全面）
此の打球練習台は上、下、に動くため周囲に安全シートカバー▲５▼を取付ける
０７  （考案の結果）
此の練習台を利用すると今までになかった打球位置例えば前、後、左、右、傾斜場所での練習が容易に出来スコアーアップに継がり技術の向上が計れる
【図面の簡単な説明】（図１）
本考案平面図である
（図２）
本考案の一部を切り欠いた図面である
【符号の説明】
１．打球台
２．ジャッキ
３．中間支柱
４．電動モーター
５．安全シートカバー
６．上下用スイッチボックス
７．台上マット
８．打球用取替マット
９．固定用ベース
【図１】
0003115913.tif 000003
【図２】
0003115913.tif 000004
【手続補正書】
【提出日】平成17年6月14日(2005.6.14)
【手続補正１】
【補正対象書類名】実用新案登録請求の範囲
【補正対象項目名】全文
【補正方法】変更
【補正の内容】
〔書類名〕  実用新案登録請求の範囲
〔請求項１〕
打球台▲１▼の下部に電動式ジャッキ▲２▼を設置すると共に打球台の下部に設けたこの固定柱▲３▼を支点に電動ジャッキの上げ下げに依り前、後、左、右に傾斜角度を自在に変えることの出来ることを特徴とする打球台。
(57)【要約】      （修正有）【課題】防犯カメラで写した映像や音声を送信し、家庭や事務所内で録画（録音）できることにより、帰った後に不審者を特定でき、近所の方々にも注意をうながすことができる。【解決手段】ペット用首輪に、映像または／及び音声を送信する送信器を設けてなる防犯カメラを付設してなることを特徴とする犬用防犯カメラ装置。【選択図】図１
0003115768.tif 000002
【実用新案登録請求の範囲】
【請求項１】
ペット用首輪に、映像または／及び音声を送信する送信器を設けてなる防犯カメラを付設してなることを特徴とする犬用防犯カメラ装置。
【請求項２】
防犯カメラが横ズレしないようにペット用首輪に足輪を設けてなることを特徴とする請求項１記載の犬用防犯カメラ装置。
【請求項３】
防犯カメラが、バッテリーで作動することを特徴とする請求項１又は２記載の犬用防犯カメラ装置。
【請求項４】
防犯カメラに、犬の声で防犯カメラをＯＮ・ＯＦＦすべく、音センサーを設けてなることを特徴とする請求項１、２又は３記載の犬用防犯カメラ装置。
【考案の詳細な説明】
【技術分野】
【０００１】  本考案は、主に留守中に不審者が侵入した時、犬に取り付けた防犯カメラにて、映像や音声を録画（録音）することのできる犬用防犯カメラ装置に関するものである。
【背景技術】
【０００２】  従来の技術として、番犬のいるのど元首輪にマイクロフィルムカメラを付け、もうひとつの上方の針金との間が、吠えると開くようにしておくと、引くとシャッターが押される方式のカメラならば、写真は撮れる。３回ほど吠えると、３回でシャッターは止まり、同時に上方の首輪のセンサーが放出され明かりが点くという構成のものがある。（特許文献１参照）【０００３】  また、他の従来の技術として、警察犬や救助犬が、追跡中や捜索中等に、人の声の届かない場所に至ってしまった場合や騒音状況下に至った場合において、当該動物に確実に指示を伝達して適切な行動をとらせることが可能な、動物に対する通信方法及び通信装置を提供することを課題とするものがある。（特許文献２参照）
【特許文献１】  特開平８−３７９８２号公報
【特許文献２】  特開２００２−５８３７６号公報
【考案の開示】
【考案が解決しようとする課題】
【０００４】  上記前者の場合は、マイクロフィルムカメラを使い、３回シャッターで３枚の写真を撮るもので、３回では期待する写真が得られない可能性がある。【０００５】  また、上記後者の場合、犬等に確実に伝達して適切な行動をとらせることが可能なものであり、本考案のような不審者を捕らえるものではない。【０００６】  本考案は、上記の問題点に鑑みなされたもので、その目的は、防犯カメラで写した映像や音声を送信し、家庭や事務所内で録画（録音）できることにより、帰った後に不審者を特定でき、近所の方々にも注意をうながすことができる。
【課題を解決するための手段】
【０００７】  本考案は、上記目的を達成するために、ペット用首輪に、映像または／及び音声を送信する送信器を設けてなる防犯カメラを付設してなる。
また、防犯カメラが横ズレしないようにペット用首輪に足輪を設けてなる。
そして、防犯カメラが、バッテリーで作動する。
さらに、防犯カメラに、犬の声で防犯カメラをＯＮ・ＯＦＦすべく、音センサーを設けてなる。
【考案の効果】
【０００８】１）ペット用首輪に、送信器を設けてなる防犯カメラを設けることにより、映像または／    及び音声を録画（録音）でき、後から不審者等を特定することができる。
２）ペット用首輪に、防犯カメラズレ防止用の足輪を両側に設けることにより、犬が運動    したり、動き回っても防犯カメラがズレることがない。
３）バッテリータイプなので場所を選ばず使用できる。
４）音センサーを設けることにより、吠えた時のみ防犯カメラが作動するもので、バッテ    リーの消耗を防ぐことができる。
【考案の実施するための最良の形態】
【０００９】  １は、犬用防犯カメラ装置である。
２は、ペット用首輪で、犬等の首に巻き付ける凹凸テープ２ａ１を設けてなる首輪本体２ａの両側に犬等の足に取り付ける足輪２ｂを設けてなる。
３は、防犯カメラで、映像を写せるカメラ部３ａと音声を受信するマイク３ｂとから構成され、送信器（ＵＨＦ帯、ＶＨＦ帯など）３ｃにてデータを送信するものである。
なお、電源はバッテリーとするのが望ましい。
また、不審者が近づくと犬は吠える。
よって、音センサー３ｄを設けることにより、吠えた時のみ反応することによりバッテリーの消耗を少なくすることができる。
さらに、必要に応じてアンテナ３ｅを設けるものとする。
【００１０】  上記犬用防犯カメラ装置１の使用例を下記に述べる。
例えば、家の庭で犬１を離して外出した時、不審者（図示せず）が近づくと犬１は不審者に向けて吠える。
この時、音センサー３ｄが作動すると同時にカメラ部３ａ及びマイク３ｂが作動し、送信器３ｃにてアンテナ３ｅを継送して、自宅のテレビＴのアンテナＴＡにて受信し、テレビＴで直接見られると共に、ビデオテープＢＴにて録画（録音）し、後で見ることもできる。
【００１１】  なお、上記実施例において、防犯カメラの映像性能（２５万画素以上）等は特に限定することなく、目的に応じて決めればよい。（防水性を有するタイプが良い。）
ペット用首輪においても、防犯カメラがズレなければ他の形状でもよい。
また、送信器はＶＨＦ帯でもＵＨＦ帯でもどちらでもよく、チャンネル数も自由に設定すればよい。
さらに、録画（録音）はビデオはタイムラプスビデオでもよく、ＤＶＤやビデオＣＤでもよい。
【図面の簡単な説明】
【００１２】
【図１】  本考案の実施形態を示す犬用防犯カメラ装置の正面図。
【図２】  本考案の実施形態を示す犬用防犯カメラ装置の側面図。
【図３】  本考案の実施形態を示す犬用防犯カメラ装置の使用状態図。
【符号の説明】
【００１３】１−−−犬用防犯カメラ装置
２−−−ペット用首輪
２ａ−−首輪本体
２ａ１−凹凸テープ
２ｂ−−足輪
３−−−防犯カメラ
３ａ−−カメラ部
３ｂ−−マイク
３ｃ−−送信器
３ｄ−−音センサー
３ｅ−−アンテナ
Ｉ−−−犬
Ｔ−−−テレビ
ＴＡ−−アンテナ
ＢＴ−−ビデオテープ
【図１】
0003115768.tif 000003
【図２】
0003115768.tif 000004
【図３】
0003115768.tif 000005